(57)【要約】【課題】複数のLPHユニットが搭載された場合に各LPHの点灯時間を適切な値にすること。【解決手段】それぞれ発光素子を備え互いに主走査方向の位置が異なる複数の書込ユニットのうち１つの書込みユニットが書き込んだ潜像パターンを現像し、現像したトナーパターンを読み取る濃度センサの読取結果に基づいて感光体に書き込む潜像の電位を変更する場合に、複数の書込ユニットの各々の点灯時間を、100％点灯の点灯時間に対してそれぞれ異なる割合で変更させる。【選択図】図１
2016109877.tif 000002
【特許請求の範囲】
【請求項１】
それぞれ発光素子を備え互いに主走査方向の位置が異なる複数の書込ユニットを備え、帯電された感光体に潜像を書き込む書込手段と、
前記書込手段の書き込んだ潜像を現像する現像手段と、
前記書込ユニットのうち１つの書込ユニットが書き込んだ潜像パターンを前記現像手段が現像したトナーパターンを読み取るトナー濃度検知センサと、
前記複数の書込ユニットの各々の点灯時間を制御する制御手段と、を備えた光書込装置であって、
前記制御手段は、前記トナー濃度検知センサの読取結果に基づいて前記書込手段が前記感光体に書き込む潜像の電位を変更する場合に、前記複数の書込ユニットの各々の点灯時間を、100％点灯の点灯時間に対してそれぞれ異なる割合で変更させることを特徴とする光書込装置。
【請求項２】
前記各発光素子の点灯時間は発光素子ユニットごとに感光体の書き込み後の電位が一定割合で減少するように、トナー付着量の減少率に基づいて複数の発光素子の点灯時間をそれぞれ異なる割合で減少させる光量変更手段を、さらに備えたことを特徴とする請求項１記載の光書込装置。
【請求項３】
前記発光素子の書き込みの点灯時間の変化を画像出力ごとにトナー濃度を検知し、一定時間経過した時点で、書き込み光量の可変制御からトナー濃度一定制御に切り替える第１の切替手段を備えたことを特徴とする請求項１記載の光書込装置。
【請求項４】
前記発光素子の書き込みの点灯時間の変化を画像出力ごとにトナー濃度を検知し、一定のトナー濃度を検出した時点で、書き込み光量の可変制御からトナー濃度一定制御に切り替える第２の切替手段を備えたことを特徴とする請求項１の光書込装置。
【請求項５】
前記発光素子の書き込みの点灯時間の変化を画像出力ごとにトナー濃度を検知し、一定のコピー枚数に達した時点で、書き込み点灯時間の可変制御からトナー濃度一定制御に切り替える第３の切替手段を備えたことを特徴とする請求項１記載の光書込装置。
【請求項６】
前記第１、第２、もしくは第３の切替手段による制御を有効にするか否かの設定する設定手段を備えたことを特徴とする請求項１の光書込装置。
【請求項７】
請求項１から６のいずれか一項記載の光書込装置を用いた画像形成装置。
【請求項８】
それぞれ発光素子を備え互いに主走査方向の位置が異なる複数の書込ユニットのうち１つの書込ユニットが書き込んだ潜像パターンを現像し、現像したトナーパターンを読み取るトナー濃度検知センサの読取結果に基づいて前記感光体に書き込む潜像の電位を変更する場合に、前記複数の書込ユニットの各々の点灯時間を、100％点灯の点灯時間に対してそれぞれ異なる割合で変更させることを特徴とする光書込制御方法。
【発明の詳細な説明】
【技術分野】
【０００１】
本発明は、光書込装置、画像形成装置、及び光書込制御方法に関する。
【背景技術】
【０００２】
電子写真式複写機において、長時間放置後は現像剤の帯電が低くなるので、感光体にトナーが乗りやすくなり印刷濃度が濃くなるという性質がある。そのため、LD(Laser Diode)方式の複写機では、立ち上げ時に中間調濃度調整用基準トナーパターン（以下、トナー濃度検知サパターンと表記。）を作成し、トナー濃度検知センサによってトナー濃度検知センサパターンの反射濃度を検知する。検知した値に基づいて画像書き込みLDの光量を変更する（ウォーミングアップ動作とも言う。）ことで中間調の濃度を整えることが既に知られている。
【発明の概要】
【発明が解決しようとする課題】
【０００３】
主走査方向に千鳥状に配置した複数のLPH(LED Print Head)ユニットを搭載した複写機においては、１のトナー濃度検知センサから読み取った値に基づいて画像書き込み光量を一律に変更すると、LPH毎の濃度ムラがでてしまうという問題があった。
尚、トナー濃度検知センサは、例えば反射型の光学センサが挙げられる。
【０００４】
特許文献１には、中間調濃度の安定化を目的として、トナー濃度検知センサパターンを作成し、トナー濃度検知センサパターンの反射濃度をトナー濃度検知センサ検知出力に基づいて画像書き込み光量の変更により調整して中間調の書き込み条件を整える技術が開示されている。
【０００５】
しかし、特許文献１に記載の発明では、千鳥配列されたLPHユニットを搭載した複写機機種に対してはLPH毎の濃度ムラがでてしまうという問題は解消できていない。
【０００６】
そこで、本発明の目的は、複数のLPHユニットが搭載された場合に各LPHの点灯時間を適切な値にすることである。
【課題を解決するための手段】
【０００７】
上記課題を解決するため、請求項１に記載の発明は、それぞれ発光素子を備え互いに主走査方向の位置が異なる複数の書込ユニットを備え、帯電された感光体に潜像を書き込む書込手段と、前記書込手段の書き込んだ潜像を現像する現像手段と、前記書込ユニットのうち１つの書込ユニットが書き込んだ潜像パターンを前記現像手段が現像したトナーパターンを読み取るトナー濃度検知センサと、前記複数の書込ユニットの各々の点灯時間を制御する制御手段と、を備えた光書込装置であって、前記制御手段は、前記トナー濃度検知センサの読取結果に基づいて前記書込手段が前記感光体に書き込む潜像の電位を変更する場合に、前記複数の書込ユニットの各々の点灯時間を、100％点灯の点灯時間に対してそれぞれ異なる割合で変更させることを特徴とする。
【発明の効果】
【０００８】
本発明によれば、複数のLPHユニットが搭載された場合に各LPHの点灯時間を適切な値にすることが出来る。
【図面の簡単な説明】
【０００９】
【図１】本発明の一実施形態に係る全体構成図である。
【図２】複写機の概念図である。
【図３】図２に示した複写機の像坦持体周辺の拡大図である。
【図４】図１に示した画像形成装置に用いられるLPHの配置図の一例である。
【図５】感光体電位とLPH光量との関係を示す図である。
【図６】（ａ）は、トナー濃度検知センサ電位の値の割合から求めた時の点灯時間と出力画像との関係を記した図であり、（ｂ）は、トナー濃度検知センサ電位の値と点灯時間を、変換テーブルを用いて算出した時のLPHの点灯時間と、出力画像の関係を記した図である。
【図７】機能ブロック図の一例である。
【図８】主走査方向に複数配列されたLPH間の濃度ムラを抑制し、トナー付着量を適切にする動作とトナー付着復帰時の動作について説明するフローチャート図である。
【図９】トナー濃度検知センサの読み取り値が基準値以上になった時に、標準濃度の点灯時間に戻す動作について説明するフローチャート図である。
【図１０】一定枚数印刷動作を行った後に、標準濃度の点灯時間に戻す動作について説明するためのフローチャート図である。
【図１１】ユーザーの使用状況に応じて、朝一または長時間放置後のコピー時にLPH毎の点灯時間を変更するかしないかを選択できる動作について説明するフローチャート図である。
【発明を実施するための形態】
【００１０】
本発明の光書込装置の実施の形態を説明する。
［概  要］
本発明は、複数のLPHを主走査方向に千鳥配列し、長時間印刷動作がなく、現像剤が帯電していない状態において、トナー濃度検知センサから読み取った濃度によって、複数のLPHの点灯時間を個々に調整する処理に際して、以下の特徴を有する。
主走査方向に千鳥配列したLPHはそれぞれ平均光量が異なる。そのためLPH間の濃度ムラをなくすために、LPH毎で点灯時間を調整している。この状態を標準的な画像濃度で印刷できるものとする。
【００１１】
長時間印刷動作がない場合、現像剤が帯電していないためドラム状の感光体にトナーが乗りやすくなるので印刷濃度が濃くなってしまう。そこで通常よりLPHの点灯時間を短くすることで、感光体にトナーを乗せにくくし、印刷濃度を適切なものとする。LPHの点灯時間を短くするには、トナー濃度検知センサから読み取った値に応じて、LPHの点灯時間と感光体の電位との関係から適切な印刷濃度となる点灯時間を導き出す。
以上のように、本光書込装置は、LPHの平均光量に対する感光体の帯電量の特性から、所望の画像濃度に対応した帯電量になるような点灯時間を設定することを特徴とする。
【００１２】
［複写機の構成］
本発明の一実施形態としての複写機の概要を図２及び図３を用いて説明する。図２は、複写機の概念図である。図３は図２に示した複写機の感光体周辺の概念図である。
図２に示す複写機は、読取部100、画像情報記憶部300、書込部500、システム制御装置302、及び操作部400を有する。
読取部100は原稿を読み取る読取手段である。画像情報記憶部300は読み取られた原稿情報を記憶する記憶手段である。書込部500は記憶された情報を転写紙に複写する。システム制御装置302は一連のプロセスを実行制御する。操作部400はシステム制御装置302にキー入力を行う操作手段である。
【００１３】
次に図１及び図２を参照して読取部100の構成を説明する。
図１は、本発明の一実施形態に係る全体構成図である。
図１に示す複写機は、読取部100、エンジン制御部200、画像情報記憶部300、操作部400、及び書込部500を有する。
【００１４】
読取部100は、センサ101、画像増幅回路102、AD変換回路103、シェーディング補正回路104、画像処理回路105、同期制御回路106、読取制御回路107、及びスキャナ駆動装置108を有する。
エンジン制御部200は、トナー濃度検知センサ18、システム制御装置302、及び駆動制御回路504を有する。
第１の切替手段としてのエンジン制御部200は、LPH503-1、LPH503-2、LPH503-3の書き込みの点灯時間の変化を画像出力ごとにトナー濃度を検知し、一定時間経過した時点で、書き込み光量の可変制御からトナー濃度一定制御に切り替えることができる。
第２の切替手段としてのエンジン制御部200は、LPH503-1〜503-3の書き込みの点灯時間の変化を画像出力ごとにトナー濃度を検知し、一定のトナー濃度を検出した時点で、書き込み光量の可変制御からトナー濃度一定制御に切り替えられる。
第３の切替手段としてのエンジン制御部200は、LPH503-1〜503-3の書き込みの点灯時間の変化を画像出力ごとにトナー濃度を検知し、一定のコピー枚数に達した時点で、書き込み点灯時間の可変制御からトナー濃度一定制御に切り替えられる。
画像情報記憶部300は、複数の画像メモリ部301を有する。
操作部400は、操作制御部400a、及び操作パネル400bを有する。設定手段としての操作部400は、第１、第２、もしくは第３の切替手段による制御を有効にするか否かの設定することができる。
書込部500は、発光素子ユニットとしてのLPH503-1、LPH503-2、LPH503-3、LED書込制御回路502、及びプリンタ駆動装置505を有する。
光量変更手段としてのシェーディング補正回路104はLPH503-1〜503-3の点灯時間はLPH503-1〜503-3ごとに感光体５の書き込み後の電位が一定割合で減少するようにトナー付着量の減少率に基づきLPH503-1〜503-3の点灯時間を減少させる。
【００１５】
図２に示す複写機は、ローラ１、密着センサ２、白色ローラ３、帯電装置４、感光体５、書込装置６、現像装置７、レジストローラ８、転写分離装置９、10、搬送タンク11、定着装置12、排出ローラ13、14、読取部100、及び操作部400を有する。
【００１６】
オペレータが原稿を挿入口110から挿入すると、原稿は、ローラ１の回転に応じて密着センサ２と白色ロ−ラ３との間を搬送される。搬送中の原稿には、密着センサ２に取り付けられているLEDにより照射され、その反射光は密着センサ２に結像され、原稿画像情報が読み取られる。
図１のセンサ101上に結像した原稿画像は電気信号に変換され、このアナログ信号は、画像増幅回路102で増幅される。A/D変換回路103は、画像増幅回路102で増幅されたアナログ画像信号を画素毎の多値デジタル画像信号に変換する。変換されたデジタル画像信号は、同期制御回路106から出力されるクロックに同期して出力されシェーディング補正回路104により、光量ムラ、コンタクトガラスの汚れ、センサの感度ムラ等による歪が補正される。この補正されたデジタル画像情報は、画像処理回路105でデジタル記録画像情報に変換された後、画像メモリ部301に書き込まれる。
【００１７】
次に画像メモリ部301に書き込まれた画像信号が転写紙に形成するための一連のプロセスを制御しているシステム制御装置302と書込部500との構成について説明する。
システム制御回路302は、全体制御を行う機能を有する回路である。システム制御回路302は、読取制御回路107、同期制御回路106、画像メモリ部301、及びLED書込制御回路502で画像デ−タ転送を行う。システム制御回路302は、駆動制御回路504によりスキャナ駆動装置108、プリンタ駆動装置505を介してモ−タ等を駆動させ読み取り原稿及び転写紙の搬送を制御する。
【００１８】
書込部500は、画像メモリ部301より入力される。画像信号の流れは、画像メモリ部301から画素密度600dpiで１画素２値画像デ−タが、同時に転送基準クロックでLED書込制御回路502に送られてくる。２画素パラレルで送られてきた画像信号は、LED書込制御回路502で一旦、１ラインに合成される。合成後、600dpiで１画素のデータを1200dpiで４画素の画像デ−タに多値化した後、３分割に割り当て、LPH 503_1、503_2、503_3へ４画素同時に転送する。
【００１９】
ここで、画像情報記憶部300までのシステムは、従来機より確立しており、書込部500への入力後、LED書き込み制御回路502で繋ぎ目処理を行うことで、汎用性を持たせることができ、更にコストメリットも挙げられる。
【００２０】
図３は、図２に示した複写機の像坦持体周辺の拡大図である。
図３に示すように、この画像形成装置は潜像担持体であるドラム状の感光体５の周りに、帯電装置４、書込装置６、現像装置７、転写分離装置９、10、トナー濃度検知センサ18、クリーニング装置16、除電装置17等が順に配設されている。
この画像形成装置では、感光体５は、帯電装置４により表面を一様帯電された後、書込装置６により画像情報に基づく光が照射される。この照射により、感光体５上に静電潜像が形成される。
ついで、現像装置７によりこの静電潜像にトナーを供給してトナー像化する。
【００２１】
一方、これらのタイミングに合わせて、図２の給紙部より記録媒体としての転写紙が搬送される。
転写分離装置９、10により感光体５上のトナー像を転写紙上に転写する。トナー像を担持した転写紙は、図２の定着装置１２により定着されることにより、画像形成が行われる。
【００２２】
他方、トナー像が転写された感光体５は、残トナーがクリーニング装置１６により除去され、除電装置1７により除電されて、次の画像形成に備える。
本画像形成装置では、所定のタイミングで、感光体５上の画像形成領域外に濃度検出用トナーパターン19を作成し、このトナーパターンの濃度をトナー濃度検知センサ18で検出し、検出された濃度に基づき画像形成条件をコントロールする制御手段を有する。これにより、画像濃度の安定化を図っている。
【００２３】
図４は、図１に示した画像形成装置に用いられるLPHの配置図の一例である。
図４に示すようにLPH２の左端から任意の位置Ｘ１に配置した１個のトナー濃度検知センサによって、濃度検出用トナーパターン19を検知する。なお、トナー濃度検知センサの位置はLPH２上でなくてもよい。
【００２４】
［感光体電位とLPH光量について］
前述の通り、帯電装置４によって一様に帯電させられた感光体５に対し、LEDヘッドを有する書込部６により感光体５の原稿濃度が濃い部分に相当する部分にLED光を照射すると、感光体５の照射された部分は電荷が除去されて感光体５の表面電位が下がる。
【００２５】
図５は、感光体電位とLPH光量との関係を示す図である。
図５に示す様に、LED光照射による感光体５の電位は、LEDヘッドを有する書込部６の平均光量が大きい程、また書込部６の点灯dutyが高い程、低下する。
変化量は、決してリニアではなく感光体５の特性、例えば光感度特性により決定される。
本実施形態では、感光体の表面電位：ｙ（-V）、LEDヘッド点灯duty：ｘ（％）とするとその関係式、すなわち近似式は、書込部６の平均光量に応じて以下の式(1)〜(3)となる。
（平均光量）0.38μW：ｙ＝48160ｘ＾-1.9774           …(1)
0.46μW：ｙ＝14657ｘ＾-1.694            …(2)
0.62μW：ｙ＝2698.1ｘ＾-1.2398          …(3)
尚、LPH点灯DUTYと点灯時間との関係は以下の式(4)のようになっている。
点灯時間（us)＝1ライン周期(us)×点灯Duty(%)       …(4)
前述の通り、現像ユニット7により感光体５のLED光照射部分に形成された静電潜像部分にはトナーが付着するが、感光体５の表面電位が低い程、トナーが付着しやすくなり、結果、画像濃度が濃くなる。
【００２６】
ここで、本実施形態では、通常の画像濃度、すなわち、各画像形成装置で決められた規定の画像濃度を得るためには感光体５の表面電位は-60Vである。LPH平均光量：0.38uW，通常、画像濃度時の感光体の表面電位：-60V時のLPHの点灯Dutyは29%となる。上式より、点灯Duty：29%，１ライン周期：249usより、点灯時間は72.2usとなる。
このような通常の画像濃度の場合において、感光体５上の画像形成領域外に濃度検出用トナーパターン19を作成し、このトナーパターン19の濃度をトナー濃度検知センサ18で検出した値をVp=0.4Vとする。
つまり、通常の画像濃度で印刷したい場合、Vp=0.4Vにするため感光体の表面電位を-60Vにすることになる。
ここで、印刷動作をしないで長時間経過した後を考えると、トナーが帯電していないため、感光体５の表面電位を-60Vにしても感光体５にトナーが乗らないことから、Vp=0.2V程度となってしまう。このようにトナーが帯電していない時は、感光体５の電位を-100VにすることでVp=0.4Vとなる。
【００２７】
［LPH毎の濃度ムラについて］
図６（ａ）は、トナー濃度検知センサ電位の値の割合から求めた時の点灯時間と出力画像との関係を記した図である。
図６（ｂ）は、トナー濃度検知センサ電位の値と点灯時間を、変換テーブルを用いて算出した時のLPHの点灯時間と、出力画像の関係を記した図である。
通常時のトナー濃度検知センサ電位Vp=0.4Vで、長時間放置後はトナー濃度検知センサ電位がVp=0.2Vであった場合、図６（ａ）のように点灯時間を半分にすると、各LPHが照射する箇所により感光体５の表面電位が異なることから濃度ムラが発生する。
これは、LPH平均光量に応じて、点灯Dutyとトナー付着量（感光体５の表面電位）の関係がリニアではないためである。
そこで、図６（ｂ）のように、トナー濃度検知センサ電位と点灯時間との関係から点灯時間を算出すると、表１のようになる。
【００２８】
【表１】
2016109877.tif 000003
【００２９】
このテーブルのようにトナー濃度検知センサ濃度とLPHの平均光量との特性を考慮することで、均一な濃度な画像が出力される。表１では、トナー濃度検知センサ電位Vp=0.1Vの時の点灯時間も記載してある。
【００３０】
［書込制御構成］
図７は、機能ブロック図の一例である。
次に図１の概略ブロック図のLED書込制御回路502を図７の機能ブロック図を用いて説明する。
画像メモリ制御部510は、画像情報記憶部300から送られてきた信号を、ゲート信号・画像データに変換し１ライン毎に並び替える。
密度変換処理部511では200dpi〜600dpiの画像が１ライン毎に入力されるため、LPHの解像度である1200dpiの画像データに変換する。トナーセーブが選択されている場合、画像データ間引き処理512にて画像を間引く処理を行う。
【００３１】
データ分割制御部513では、画像データをLPH３本分に画像データを分割する。分割された画像データは、点灯時間制御部514と点灯制御部515とを通って、各LPH503-1〜503-3）へ転送される。
【００３２】
一方、各LPHに入っている光量データ（LPH1本にあるLEDAの平均光量）は電源オン時に、各LPHより読み出され格納部516に格納される。その光量データを点灯時間制御部514が読み出し、システム制御部302へ転送する。
点灯制御部515で点灯時間に応じてLPHを点灯させることで、図２の感光体ドラム５にLED光が照射される。
また、システム制御部302では、トナー濃度検知センサ18で読み取ったトナー濃度(電圧値)に応じて格納部516に格納されている光量データから点灯時間を算出し、点灯時間制御部514へ転送する。
【００３３】
［フローチャートによる制御の流れ］
図８は、主走査方向に複数配列されたLPH間の濃度ムラを抑制し、トナー付着量を適切にする動作とトナー付着復帰時の動作について説明するフローチャート図である。
まず初めに書込部500から各LPH(503-1〜503-3)の光量データを読み取りメモリに格納する(S101)。読み取ったLPH光量データと予め用意した変換テーブルとからLPHごとに標準濃度時の点灯時間を決定し(S102)、決定した標準濃度時の点灯時間をメモリに格納する(S103)。
操作部400の操作パネルから給紙するトレイの紙種や用紙サイズ、排紙するトレイ先、トナーセーブ等の各種モードが選択される。原稿がセットされると、読取部100から原稿セット情報がシステム制御装置302に通知され、システム制御装置302より印刷に必要な情報を読取部100、画像情報記憶部300や書込部500等各制御部に通知する。
外部機器からの操作も同様に、給紙するトレイの紙種や用紙サイズ、排紙するトレイ先、トナーセーブ等各種モードが選択される。印刷要求がシステム制御装置302に通知され、システム制御装置302より印刷に必要な情報が画像情報記憶部300や書込部500等各制御部に通知される。
【００３４】
書込部500では、作像立ち上げの有無を判断し(S104)、作像立ち上げがなければ、標準濃度の点灯時間が選択され(S150)、待機状態となる(S151)。作像立ち上げがあれば、作像立ち上げ動作を開始し(S200)、トナー濃度検知センサを読み取る(S201)。取得したトナー濃度検知センサの値が基準値以下であるか否かを判断し(S202)、基準値以下の場合、トナー濃度検知センサ値変換テーブルから点灯時間を選択する(S203)。トナー濃度検知センサの値が基準値以下でない場合、標準濃度の点灯時間を選択し(S250)、作像立ち上げ動作を停止する(S204)。
印刷要求の有無を判断し(S300)、印刷要求がなければ、待機状態となり(S350)、印刷要求を待つ。印刷要求があれば、印刷に必要な情報を取得する(S301)。
LED書込制御回路部502に書き込み動作に必要な設定と点灯時間を設定し(S302)、書き込み開始を待つ(S303)。書き込みを開始時、画像の出力を開始しLPHを点灯させる(S304)。LED書込制御回路部502は、設定された点灯時間でLEDの発光を繰り返し全ラインの終了を待つ(S305)。
書き込みが終了すると、一定時間作像を駆動した場合(S400)、標準濃度の点灯時間を選択し(S401)、次の印刷動作を開始する為、印刷要求の有無を判断し(S300)、印刷動作を繰り返す。
【００３５】
図９は、トナー濃度検知センサの読み取り値が基準値以上になった時に、標準濃度の点灯時間に戻す動作について説明するフローチャート図である。
図９は、図８で示した動作フローチャートと同一のステップを共通の符号で示すため、ここでは異なる部分のみを説明する。
書込部500では、全ライン書き込み終了時に、トナー濃度検知センサの値を読み取り(S500)、取得したトナー濃度検知センサの値が基準値以上であるか否かを判断する(S501)。基準値以上の場合、標準濃度の点灯時間を選択し(S401)、基準値未満の場合、トナー濃度検知センサ値変換テーブルから点灯時間を選択する(S550)。
【００３６】
図１０は、一定枚数印刷動作を行った後に、標準濃度の点灯時間に戻す動作について説明するためのフローチャート図である。
図１０は、図８で示した動作フローチャートと同一のステップを共通の符号で示すため、ここでは異なる部分のみを説明する。
書込部500では、全ライン書き込み終了時に、印刷枚数を読み取り(S500)、読み取った印刷枚数が基準枚数以上であるか否かを判断する(S501)。読み取った印刷枚数が基準枚数以上の場合、標準濃度の点灯時間を選択し(S401)、基準枚数未満の場合、トナー濃度検知センサ値変換テーブルから点灯時間を選択する(S550)。
【００３７】
図１１は、ユーザーの使用状況に応じて、朝一または長時間放置後のコピー時にLPH毎の点灯時間を変更するかしないかを選択できる動作について説明するフローチャート図である。
図１１は、図８で示した動作フローチャートと同一のステップを共通の符号で示すため、ここでは異なる部分のみを説明する。
システム制御装置302に設定されている、LPH毎の点灯時間を変化させるか否かの設定、すなわち高速立ち上げモードが設定されているか否かを読み出す(S105)。
高速立ち上げモードが設定されている場合、標準濃度の点灯時間を選択し(S150)、待機状態となる(S151)。高速立ち上げモードが設定されていない場合、作像立ち上げの有無を判断する(S104)。以降図８と同様である。
【００３８】
なお、本実施形態ではトナー濃度検知センサを１個として説明しているが、LPHユニットの数よりも少ない数であれば１個でなくても本発明は適用可能である。
【００３９】
本実施形態によれば、LPH毎の濃度ムラがなくなり、現像剤が帯電した後でも適切な濃度で印刷でき、現像剤が帯電した後でも適切な濃度で印刷でき、現像剤が帯電した後でも適切な濃度で印刷でき、ウォームアップ動作時のトナー消費を抑えられる。
【００４０】
＜プログラム＞
以上で説明した本発明に係る複写機は、コンピュータで処理を実行させるプログラムによって実現されている。コンピュータとしては、例えばマイクロプロセッサが挙げられるが、本発明はこれに限定されるものではない。よって、一例として、プログラムにより本発明の機能を実現する場合の説明を以下で行う。
【００４１】
例えば、
光書込装置のコンピュータが読取可能なプログラムであって、
コンピュータに、
書込手段が、それぞれ発光素子を備え互いに主走査方向の位置が異なる複数の書込ユニットを備え、帯電された感光体に潜像を書き込む手順、
現像手段が、書込手段の書き込んだ潜像を現像する手順、
濃度センサが、書込ユニットのうち１つの書込ユニットが書き込んだ潜像パターンを現像手段が現像したトナーパターンを読み取る手順、
制御手段が、複数の書込ユニットの各々の点灯時間を制御すると共に、濃度センサの読取結果に基づいて書込手段が感光体に書き込む潜像の電位を変更する場合に、複数の書込ユニットの各々の点灯時間を、100％点灯の点灯時間に対してそれぞれ異なる割合で変更させる手順、
を実行させるためのプログラムが挙げられる。
【００４２】
このようなプログラムは、コンピュータに読み取り可能な記憶媒体に記憶されていてもよい。
【００４３】
＜記憶媒体＞
ここで、記憶媒体としては、例えばCD-ROM、フレキシブルディスク（FD）、CD-R等のコンピュータで読み取り可能な記憶媒体、フラッシュメモリ、RAM、ROM、FeRAM等の半導体メモリやHDDが挙げられる。
【００４４】
CD-ROMは、Compact Disc Read Only Memoryの略である。フレキシブルディスクは、Flexible Disk：FDを意味する。CD-Rは、CD Recordableの略である。RAMは、Random-Access Memoryの略である。ROMは、Read-Only Memoryの略である。FeRAMは、Ferroelectric RAMの略で、強誘電体メモリを意味する。HDDは、Hard Disc Driveの略である。
【００４５】
尚、上述した実施の形態は、本発明の好適な実施の形態の一例を示すものであり、本発明はそれに限定されることなく、その要旨を逸脱しない範囲内において、種々変形実施が可能である。
【符号の説明】
【００４６】
１    ローラ
２    密着センサ
３    白色ローラ
４    帯電装置
５    感光体
６    書込装置
７    現像装置
８    レジストローラ
９、１０    転写分離装置
１１    搬送タンク
１２    定着装置
１３、１４    排出ローラ
１００    読取部
１０１    センサ
１０２    画像増幅回路
１０３    Ａ／Ｄ変換回路
１０４    シェーディング補正回路
１０５    画像処理回路
１０６    同期制御回路
１０７    読取制御回路
１０８    スキャナ駆動装置
２００    エンジン制御部
３００    画像情報記憶部
４００    操作部
５００    書込部
【先行技術文献】
【特許文献】
【００４７】
【特許文献１】特開２００８−１９７６９３号公報
【図１】
2016109877.tif 000004
【図２】
2016109877.tif 000005
【図３】
2016109877.tif 000006
【図４】
2016109877.tif 000007
【図５】
2016109877.tif 000008
【図６】
2016109877.tif 000009
【図７】
2016109877.tif 000010
【図８】
2016109877.tif 000011
【図９】
2016109877.tif 000012
【図１０】
2016109877.tif 000013
【図１１】
2016109877.tif 000014